(57)【要約】【課題】プレス基部に接着されたプレスヘッドの横ズレを規制し、中皿の噛み込みを有効に防止する。【解決手段】プレス基部２の下面に設けられたヘッド取付面には、接着テープ６を介して、プレスヘッド３が接着されている。枠体７は、プレスヘッド３の周囲の少なくとも一部に設けられ、プレスヘッド３の側部との当接によって、プレスヘッド３の横方向の変位を規制する。【選択図】図１
2011031294.tif 000002
【特許請求の範囲】
【請求項１】
中皿内に充填された充填物をプレスするプレス装置において、
プレス基部の下面に設けられた平坦なヘッド取付面と、
前記ヘッド取付面に接着されたプレスヘッドと、
前記プレスヘッドの周囲の少なくとも一部に設けられ、前記プレスヘッドの側部との当接によって、前記プレスヘッドの横方向の変位を規制する規制部材と
を有することを特徴とするプレス装置。
【請求項２】
前記規制部材は、前記プレス基部より下方に向かって突出し、前記プレスヘッドに応じた枠形状を有する枠体であることを特徴とする請求項１に記載されたプレス装置。
【請求項３】
前記規制部材は、前記プレス基部の下面に取り付けられ、前記プレスヘッドに応じた開口形状を有するプレート部材であることを特徴とする請求項１に記載されたプレス装置。
【発明の詳細な説明】
【技術分野】
【０００１】
本発明は、中皿内の充填物をプレスヘッドでプレスするプレス装置に係り、多種多様なロットに対応すべくプレスヘッドを交換可能にしたプレス装置に関する。
【背景技術】
【０００２】
従来より、多種多様なロットに対応すべくプレスヘッドを交換式とし、ロットに応じた形状のプレスヘッドを選択的に使用するプレス装置が知られている。例えば、特許文献１には、プレスヘッドをプレス基部にネジ止めした構造が開示されている。また、プレスヘッドの交換作業の手間を低減すべく、このようなネジ止めに代えて、プレス基部へのプレスヘッドの接着を接着テープ等を用いて行う手法も知られている。
【先行技術文献】
【特許文献】
【０００３】
【特許文献１】実開平５−０４６９１９号公報
【発明の概要】
【発明が解決しようとする課題】
【０００４】
しかしながら、プレスヘッドを接着テープ等で接着した場合、プレスの度にプレスヘッド自体に様々な方向の力が繰り返し加わるので、プレス基部に接着されたプレスヘッドが、接着テープの粘着力に抗して横方向に微妙に変位してしまうことがある。そして、この横ズレに起因して、プレスヘッドが中皿に当たって、中皿の噛み込みが発生してしまうことがあった。
【０００５】
本発明は、かかる事情に鑑みてなされたものであり、その目的は、プレス基部に接着されたプレスヘッドの横ズレを規制し、中皿の噛み込みを有効に防止することである。
【課題を解決するための手段】
【０００６】
かかる課題を解決すべく、本発明は、中皿内に充填された充填物をプレスするプレス装置を提供する。このプレス装置は、平坦なヘッド取付面と、プレスヘッドと、規制部材とを有する。ヘッド取付面は、プレス基部の下面に設けられている。プレスヘッドは、ヘッド取付面に接着されている。規制部材は、プレスヘッドの周囲の少なくとも一部に設けられ、プレスヘッドの側部との当接によって、プレスヘッドの横方向の変位を規制する。
【０００７】
ここで、本発明において、上記規制部材は、プレス基部より下方に向かって突出し、プレスヘッドに応じた枠形状を有する枠体であってもよい。また、上記規制部材は、プレス基部の下面に取り付けられ、プレスヘッドに応じた開口形状を有するプレート部材であってもよい。
【発明の効果】
【０００８】
本発明によれば、プレスヘッドの周囲の少なくとも一部に規制部材を設ける。規制部材がプレスヘッドの側部と当接することで、プレスヘッドの横ズレが規制される。これにより、中皿の噛み込みを有効に防止することが可能になる。
【図面の簡単な説明】
【０００９】
【図１】第１の実施形態に係るプレス装置の構成図
【図２】第２の実施形態に係るプレス装置の構成図
【発明を実施するための形態】
【００１０】
以下の実施形態では、プレス処理を施す対象物として、容器本体内に収容され、自己の収容スペースに、ファンデーション、フェイスパウダー、アイシャドウといった粉末固形化粧料が充填された中皿を一例に説明する。
【００１１】
（第１の実施形態）
図１は、第１の実施形態に係るプレス装置の構成図である。このプレス装置１は、プレス基部２と、プレスヘッド３と、雌型４と、昇降テーブル５とを主体に構成されている。プレス基部２は、油圧や空気圧で駆動するシリンダ（図示せず）によって上下に昇降する。このプレス基部２の下面の略中央には、平坦なヘッド取付面２ａが設けられており、このヘッド取付面２ａには、プレスヘッド３が接着されている。ここで、多種多様なロット（中皿８）に対応すべく、プレスヘッド３は交換可能になっており、ロットに適合した形状のプレスヘッド３が選択的に使用される。プレスヘッド３の交換を容易に行えるように、プレス基部２へのプレスヘッド３の接着は、両面テープ等の接着テープ６を用いて行われる。
【００１２】
また、プレスヘッド３の周囲の少なくとも一部（最も好ましい例として全周）には、規制部材としての枠体７が設けられている。この枠体７は、プレス基部２に一体化されており、プレス基部２の下面より下方に向かって枠状（部分的な枠も含む）に突出している。枠体２は、プレスヘッド３の断面形状に応じた枠形状を有する。上述したように、プレスヘッド３は、多種多様なロットに対応するために様々なタイプが用意されている。しかしながら、これらのいずれもプレスヘッド３の下部形状のみが異なるにすぎず、上部形状は共通している。したがって、共通化された上部形状に対応した枠形状にしておけば、どのタイプのプレスヘッド３を取り付けても枠体７内にちょうど収まる形になる。一方、雌型４内には、粉末固形化粧料が充填された中皿８が収容されており、この中皿８は昇降テーブルによって昇降する。
【００１３】
このプレス装置１の動作は以下のようになる。まず、水平方向のスライドによって、粉末固形化粧料が充填された中皿８を雌型４の開口直下にセットする。つぎに、昇降テーブル５を上昇させて、中皿８を雌型４の開口内部にセットする。この状態において、プレス基部２を下降させて、中皿８内の粉末固形化粧料をプレスヘッド３でプレスする。そして、昇降テーブル５を下降させた後、水平方向のスライドによって、プレスされた中皿８を送出するとともに、次の中皿８を雌型４の開口直下にセットする。以上の動作を繰り返すことによって、多数の中皿８のプレスが連続的に行われる。
【００１４】
このように、第１の実施形態によれば、プレスヘッド３の周囲の少なくとも一部に枠体７を設ける。中皿８内の粉末固形化粧料をプレスする際、その充填密度の不均一さ等に起因して、プレスヘッド３には縦成分のみならず横成分の力も作用する。この横成分の力が繰り返し生じると、プレス基部２に接着されたプレスヘッド３は、両者の間に介在する接着テープ６の粘着力に抗して、横方向に変位しようとする。しかしながら、この変位は、枠体７がプレスヘッド３の側部と当接することによって規制される。その結果、プレスヘッド３は殆ど変位することなく枠体７内に留まるので、プレスヘッド３の横ズレに起因した中皿８の噛み込みを有効に防止することが可能になる。特に、枠体７をプレスヘッド３の全周に設けた場合には、プレスヘッド３の横ズレを全方位的に規制することが可能となる。
【００１５】
（第２の実施形態）
図２は、第２の実施形態に係るプレス装置１０の構成図である。このプレス装置１０の特徴は、上述した枠体７の代わりに、所定の厚みを有するプレート部材９を規制部材として用いている点にある。このプレート部材９は、プレスヘッド３の断面形状に応じた開口形状を有し、図示しない取付ネジ等によってプレス基部２の下面に取り付けられている。プレスヘッド３の横ズレは、プレート部材９の開口部の内面と、プレスヘッド３の側部とが当接することによって規制される。なお、それ以外の構成については図１の構成と同様なので、図１と同一の符号を付してここでの説明を省略する。
【００１６】
このように、第２の実施形態によれば、第１の実施形態と同様、中皿８の噛み込みを有効に防止することが可能になる。
【産業上の利用可能性】
【００１７】
以上のように、本発明に係るプレス装置は、多種多様なロットに対応すべく、プレスヘッドを交換可能にしたあらゆるプレス装置に対して広く適用できる。
【符号の説明】
【００１８】
１，１０  プレス装置
２  プレス基部
２ａ  ヘッド取付面
３  プレスヘッド
４  雌型
５  昇降テーブル
６  接着テープ
７  枠体
８  中皿
９  プレート部材
【図１】
2011031294.tif 000003
【図２】
2011031294.tif 000004